(57)【特許請求の範囲】
【請求項１】
光源装置本体と、
内視鏡に着脱自在に電気的に接続されるコネクタと、このコネクタから入力される信号に所定の信号処理を施す信号処理回路とが設けられ、前記光源装置本体に着脱可能な接続ユニットと、
前記接続ユニットが前記光源装置本体に装着された状態で、前記コネクタが前記光源装置本体に対して前記内視鏡の着脱方向に変位するのを阻止する変位阻止手段とを有する光源装置であって、
前記変位阻止手段は、前記コネクタ側に設けられた被係合部と、前記光源装置本体側に設けられ、前記接続ユニットが前記光源装置本体に装着された状態で、前記被係合部に対して前記内視鏡の着脱方向にて係合する係合部材とを有し、
前記接続ユニットを前記光源装置本体に装着する際、前記光源装置本体に対する前記接続ユニットの移動に伴って、前記係合部材と前記被係合部とが係合し、これにより前記コネクタが前記光源装置本体に対して前記内視鏡の着脱方向に変位するのが阻止されるよう構成されていることを特徴とする光源装置。
【請求項２】
前記係合部材と前記被係合部とのうちの一方には、前記内視鏡の着脱方向と直交する方向に突出した凸部が形成され、他方には、前記凸部と係合する凹部が形成されている請求項１に記載の光源装置。
【請求項３】
前記コネクタの形状は、略円柱状をなし、前記被係合部は、前記コネクタの周方向に形成された溝を有し、
前記係合部材は、前記溝に挿入されて前記接続ユニットを前記光源装置本体内の装着位置まで導く案内部を有する請求項１または２に記載の光源装置。
【請求項４】
前記溝は有底溝であり、前記係合部材のコネクタ挿入部の形状は、略Ｕ字状をなし、前記係合部材の開放側の端部には、前記有底溝を前記案内部に導くテーパ面が形成されている請求項３に記載の光源装置。
【請求項５】
前記案内部は、前記内視鏡の着脱方向と直交する方向に前記接続ユニットを導くように構成されており、
前記接続ユニットが前記光源装置本体に装着された状態で、前記係合部材の湾曲部分の凸部が前記コネクタの略半周に渡って前記有底溝と係合する請求項４に記載の光源装置。
【請求項６】
前記コネクタと前記信号処理回路とが同一の基板に設けられている請求項１ないし５のいずれかに記載の光源装置。
【請求項７】
前記光源装置本体には、コネクタ用孔が設けられており、
前記接続ユニットを前記光源装置本体に装着した際に、前記コネクタ用孔に対応する位置に、前記コネクタが位置するよう構成されている請求項１ないし６のいずれかに記載の光源装置。
【請求項８】
前記光源装置本体に、前記内視鏡のライトコネクタが挿入されるライトガイド用孔が設けられ、
接続ユニットに、前記内視鏡のライトコネクタが挿入されるライトガイド用開口が設けられており、
前記接続ユニットを前記光源装置本体に装着した際に、前記ライトガイド用孔に対応する位置に、前記ライトガイド用開口が位置するよう構成されている請求項１ないし７のいずれかに記載の光源装置。
【発明の詳細な説明】
【０００１】
【発明の属する技術分野】
本発明は、内視鏡装置の光源装置に関する。
【０００２】
【従来の技術】
従来、例えば医療の分野では、消化管等の検査や診断に電子内視鏡装置が使用されている。
【０００３】
この電子内視鏡装置は、光源装置と、この光源装置に着脱自在に装着（接続）され、撮像素子（ＣＣＤイメージセンサ）を備えた内視鏡（スコープ）とで構成されており、例えば、接続ケーブル（ユニバーサルケーブル）の長さの異なるもの、撮像素子の種類や画素数が異なるもの、撮像方式が異なるもの（例えば、モノクロ（白黒）面順次撮像方式、カラー単板撮像方式）、信号処理方式が異なるもの等、その種類も様々である。使用の際は、内視鏡を対応する光源装置に装着する。
【０００４】
前記光源装置のフロントパネルには、内視鏡との電気的接続を図るためのスコープコネクタと、内視鏡との光学的接続を図るためのライトガイド用孔とが設けられている。
【０００５】
一方、内視鏡には、光源装置との電気的接続を図るためのスコープコネクタと、光源装置との光学的接続を図るためのライトコネクタとを備えた接続部が設けられている。
【０００６】
内視鏡を光源装置に装着する際には、内視鏡のライトコネクタをライトガイド用孔を介して光源装置内に挿入すると共に、内視鏡のスコープコネクタと光源装置のスコープコネクタとを接続することで、光源装置と内視鏡との電気的および光学的な接続を図る。
【０００７】
この電子内視鏡装置の光源装置のスコープコネクタは、内視鏡のＣＣＤイメージセンサからの信号等に対して所定の信号処理を行う信号処理回路等に電気的に接続されているとともに、リング状ネジにより光源装置側に強固にネジ止めされている。このため、光源装置に内視鏡を着脱する際に、光源装置のスコープコネクタに対して内視鏡のスコープコネクタが着脱されても、前記信号処理回路が設けられた回路基板に対して、前記内視鏡の着脱の際の衝撃等が加わらないようになっている。
【０００８】
しかしながら、前述したように内視鏡には、撮像方式が異なるもの等、様々な種類のものが存在し、従来の電子内視鏡装置では、使用する内視鏡に応じた光源装置を用いる必要がある。
【０００９】
例えば、白黒面順次撮像方式の内視鏡を使用する場合は、モノクロ面順次撮像方式の光源装置、すなわち、モノクロ面順次撮像方式の内視鏡用のスコープコネクタおよび信号処理回路や、モノクロ面順次撮像方式に必要なＲＧＢ回転フィルタ等の所定の機構を備えた光源装置を用意し、この光源装置に前記内視鏡を装着する必要がある。
【００１０】
【発明が解決しようとする課題】
ところで、光源装置の所定の信号処理回路やスコープコネクタ等をユニット化し、そのユニットを交換し得るようにすることが可能であると考えられる。この場合には、使用する内視鏡の種類に応じて、前記ユニットを交換することにより、光源装置全体を交換することなく、様々な内視鏡に対応することができる。
【００１１】
しかしながら、前記ユニットを交換可能な光源装置では、内視鏡との電気的接続を図るためのユニット側のスコープコネクタを固定する方法等が未解決であり、内視鏡を光源装置に対して着脱する際に、前記ユニットの回路パターンが剥離、破損する等、種々の弊害が生じるおそれがある。
【００１２】
本発明の目的は、接続ユニット（例えば、初段信号処理回路やスコープコネクタ等が実装された初段信号処理回路基板）が着脱可能な光源装置であって、光源装置に対して内視鏡を着脱する際に、回路パターン等が剥離、破損する不都合を防止することができる光源装置を提供することにある。
【００１３】
【課題を解決するための手段】
このような目的は、下記（１）〜（８）の本発明により達成される。
【００１４】
（１）  光源装置本体と、
内視鏡に着脱自在に電気的に接続されるコネクタと、このコネクタから入力される信号に所定の信号処理を施す信号処理回路とが設けられ、前記光源装置本体に着脱可能な接続ユニットと、
前記接続ユニットが前記光源装置本体に装着された状態で、前記コネクタが前記光源装置本体に対して前記内視鏡の着脱方向に変位するのを阻止する変位阻止手段とを有する光源装置であって、
前記変位阻止手段は、前記コネクタ側に設けられた被係合部と、前記光源装置本体側に設けられ、前記接続ユニットが前記光源装置本体に装着された状態で、前記被係合部に対して前記内視鏡の着脱方向にて係合する係合部材とを有し、
前記接続ユニットを前記光源装置本体に装着する際、前記光源装置本体に対する前記接続ユニットの移動に伴って、前記係合部材と前記被係合部とが係合し、これにより前記コネクタが前記光源装置本体に対して前記内視鏡の着脱方向に変位するのが阻止されるよう構成されていることを特徴とする光源装置。
【００１５】
（２）  前記係合部材と前記被係合部とのうちの一方には、前記内視鏡の着脱方向と直交する方向に突出した凸部が形成され、他方には、前記凸部と係合する凹部が形成されている上記（１）に記載の光源装置。
【００１６】
（３）  前記コネクタの形状は、略円柱状をなし、前記被係合部は、前記コネクタの周方向に形成された溝を有し、
前記係合部材は、前記溝に挿入されて前記接続ユニットを前記光源装置本体内の装着位置まで導く案内部を有する上記（１）または（２）に記載の光源装置。
【００１７】
（４）  前記溝は有底溝であり、前記係合部材のコネクタ挿入部の形状は、略Ｕ字状をなし、前記係合部材の開放側の端部には、前記有底溝を前記案内部に導くテーパ面が形成されている上記（３）に記載の光源装置。
【００１８】
（５）  前記案内部は、前記内視鏡の着脱方向と直交する方向に前記接続ユニットを導くように構成されており、
前記接続ユニットが前記光源装置本体に装着された状態で、前記係合部材の湾曲部分の凸部が前記コネクタの略半周に渡って前記有底溝と係合する上記（４）に記載の光源装置。
【００１９】
（６）  前記コネクタと前記信号処理回路とが同一の基板に設けられている上記（１）ないし（５）のいずれかに記載の光源装置。
【００２０】
（７）  前記光源装置本体には、コネクタ用孔が設けられており、
前記接続ユニットを前記光源装置本体に装着した際に、前記コネクタ用孔に対応する位置に、前記コネクタが位置するよう構成されている上記（１）ないし（６）のいずれかに記載の光源装置。
【００２１】
（８）  前記光源装置本体に、前記内視鏡のライトコネクタが挿入されるライトガイド用孔が設けられ、
接続ユニットに、前記内視鏡のライトコネクタが挿入されるライトガイド用開口が設けられており、
前記接続ユニットを前記光源装置本体に装着した際に、前記ライトガイド用孔に対応する位置に、前記ライトガイド用開口が位置するよう構成されている上記（１）ないし（７）のいずれかに記載の光源装置。
【００２２】
【発明の実施の形態】
以下、本発明の光源装置を添付図面に示す好適実施形態に基づいて詳細に説明する。
【００２３】
図１は、本発明の光源装置の実施形態を示す斜視図であり、また、図２は、本発明の光源装置の実施形態の主要部を示す断面図であり、光源装置に内視鏡が装着された状態を示す。
【００２４】
これらの図に示すように、電子内視鏡装置（内視鏡装置）１００は、光源装置１と、光源装置１に着脱自在の内視鏡（スコープ）２とを有している。
【００２５】
光源装置１は、光源装置本体１０と、光源装置本体１０に着脱自在の初段信号処理回路基板（接続ユニット）３とで構成されている。光源装置本体１０には、所定の入力等を行うキーボード５０が着脱自在に電気的に接続されている。
【００２６】
光源装置本体１０の前面（図１中正面）には、各種キーやスイッチが設けられたフロントパネルスイッチ７３と、内視鏡２を光源装置１に装着する際、内視鏡２の後述するスコープコネクタ（内視鏡側スコープコネクタ）４１が挿入されるコネクタ用孔５と、内視鏡２を光源装置１に装着する際、内視鏡２の後述するライトコネクタ４２が挿入されるライトガイド用孔７とが、それぞれ設けられている。コネクタ用孔５と、ライトガイド用孔７は、図１および図２中上下方向に並んでいる。
【００２７】
この光源装置１では、様々な内視鏡２に対応し得るように、初段信号処理回路基板３が交換可能となっており、光源装置本体１０の図１中左側の側面部には、この初段信号処理回路基板３を交換（着脱）する際に開閉される初段信号処理回路交換用扉５２が設けられている。
【００２８】
図３に示すように、初段信号処理回路基板３には、内視鏡２に設けられた後述する撮像素子（ＣＣＤイメージセンサ）からの信号に対して所定の初段の信号処理を施す回路や、光源装置本体１０側の後述するタイミングコントロール回路と内視鏡２に設けられた後述する撮像素子用ドライバ回路とを導通させるパターン等を備えた初段信号処理回路１１と、所定の情報が記憶（記録）されているＲＯＭ（不揮発性メモリ）１２と、この初段信号処理回路基板３と光源装置本体１０との電気的接続を図るためのカードエッジ１３とが設けられている。なお、カードエッジ１３は、初段信号処理回路基板３の所定の回路に電気的に接続されている。
【００２９】
ＲＯＭ１２には、例えば、初段信号処理回路基板３のＩＤ番号、この初段信号処理回路基板３に対応する内視鏡２の型式（スコープ型式）に関する情報、この初段信号処理回路基板３に対応する撮像方式に関する情報（例えば、モノクロ（白黒）面順次撮像方式やカラー単板撮像方式、ＲＧＢ回転フィルタの有無）等、初段信号処理回路基板３およびそれに関連する情報が記憶されている。
【００３０】
また、初段信号処理回路基板３には、初段信号処理回路基板３を光源装置本体１０に装着した際に、光源装置本体１０のコネクタ用孔５およびライトガイド用孔７に対応する位置に、それぞれ、この初段信号処理回路基板３と内視鏡２との電気的接続を図るための円柱状のスコープコネクタ（プロセッサ側スコープコネクタ）１４および内視鏡２を光源装置１に装着する際、内視鏡２の後述するライトコネクタ４２が挿入されるライトガイド用開口１５が設けられている。なお、スコープコネクタ１４は、初段信号処理回路基板３の所定の回路に電気的に接続されている。
【００３１】
さらに詳しくは、前記モノクロ面順次撮像方式に対応する初段信号処理回路１１を有する初段信号処理回路基板３は、図４（ａ）に示すように構成されている。
【００３２】
スコープコネクタ１４は、複数のコネクタピン２１と、その中心部に設けられ、ＣＣＤイメージセンサからのモノクロ映像信号等を伝送するための１つの映像信号用同軸コネクタ２０とを備えている。前記コネクタピン２１は、前記モノクロ映像信号以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００３３】
また、ＲＯＭ１２には、初段信号処理回路１１がモノクロ面順次撮像方式用のものであることを示す情報等が記憶されている。なお、図３には、このモノクロ面順次撮像方式に対応する初段信号処理回路１１を有する初段信号処理回路基板３が示されている。
【００３４】
これに対して、前記カラー単板撮像方式に対応する初段信号処理回路１１を有する初段信号処理回路基板３は、図４（ｂ）に示すように構成されている。
【００３５】
スコープコネクタ１４は、複数のコネクタピン２１と、その中心部に設けられ、ＣＣＤイメージセンサからの輝度信号（Ｙ）および２つの色差信号（Ｒ−Ｙ、Ｂ−Ｙ）をそれぞれ伝送するための３つの映像信号用同軸コネクタ２２とを備えている。前記コネクタピン２１は、前記輝度信号（Ｙ）および２つの色差信号（Ｒ−Ｙ、Ｂ−Ｙ）以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００３６】
また、ＲＯＭ１２には、初段信号処理回路１１がカラー単板撮像方式用のものであることを示す情報等が記憶されている。
【００３７】
前記モノクロ面順次撮像方式に対応する初段信号処理回路１１を有する初段信号処理回路基板３およびカラー単板撮像方式に対応する初段信号処理回路１１を有する初段信号処理回路基板３のいずれにおいても、図３に示すように、円柱形状のスコープコネクタ１４の外周部には、リング状の有底の溝（被係合部）２５がその外周に沿って（周方向に）設けられている。
【００３８】
図２および図１０に示すように、光源装置本体１０内には、初段信号処理回路基板３のカードエッジ１３が挿入（接続）されるコネクタ９０と、初段信号処理回路基板３のカードエッジ１３をコネクタ９０に導く溝が形成された一対の基板レールガイド４、４とが設けられている。
【００３９】
前記コネクタ９０は、後述するタイミングコントロール回路、画像メモリ、モータ制御回路、システムコントロール回路（制御手段）５６等、光源装置本体１０の所定の回路に電気的に接続されている。
【００４０】
初段信号処理回路基板３を基板レールガイド４に沿って移動させ、カードエッジ１３をコネクタ９０に挿入すると、カードエッジ１３とコネクタ９０とが電気的に接続して初段信号処理回路基板３と光源装置本体１０とが電気的に接続されると共に、初段信号処理回路基板３が光源装置本体１０に機械的に接続される。
【００４１】
図２に示すように、装置本体１０のフロントパネル１ａのコネクタ用孔５の背面側（光源装置本体１の内側）には、コネクタ受け（係合部材）６が設けられている。
【００４２】
このコネクタ受け６の側面図、正面図および背面図をそれぞれ図５（ａ）、（ｂ）および（ｃ）に示す。
【００４３】
図５に示すように、コネクタ受け６は、初段信号処理回路基板３のスコープコネクタ１４を挿入可能な空間６ａが形成された略Ｕ字状のコネクタ挿入部３０を有しており、このコネクタ挿入部３０の空間６ａの内縁部（リブ３６）と、前記スコープコネクタ１４の外周部（溝２５）とが内視鏡２の着脱方向（図２および図５（ｂ）中横方向）にて係合することにより、スコープコネクタ１４が光源装置本体１０に対して内視鏡２の着脱方向に変位するのを阻止する。
【００４４】
すなわち、コネクタ受け６は、互いに平行になるように設けられた第１のガイド片３２および第２のガイド片３３（案内部）と、第１および第２のガイド片３２、３３の図５（ａ）中右側に設けられた当接部３７とで構成された略Ｕ字状のコネクタ挿入部３０を有している。
【００４５】
当接部３７の空間６ａの内縁における図５（ａ）中右側の部分は半円状になっており、その曲率（後述するリブ３６を含まない部分の曲率）は、スコープコネクタ１４の外周最大部の曲率より若干小さい。すなわち、当接部３７の内径（後述するリブ３６を含まない部分の内径）は、スコープコネクタ１４の外径より若干大きい。
【００４６】
また、第１のガイド片３２と第２のガイド片３３の間隔（後述するリブ３６を含まない部分の間隔）は、スコープコネクタ１４の直径より若干大きい。
【００４７】
第１および第２のガイド片３２、３３および当接部３７の空間６ａの内縁部には、それぞれ、内視鏡２の着脱方向と直交する方向に突出するリブ（凸条）３６が形成されている。このリブ３６は、第１のガイド片３２の先端から第２のガイド片３３の先端まで連続的に形成されており（Ｕ字状に形成されており）、スコープコネクタ１４に設けられた溝２５と係合し得るようになっている。
【００４８】
図５（ｂ）中上下方向には、本実施例では、コネクタ受け６のリブ３６がスコープコネクタ１４の溝２５に遊びなく嵌合するようになっているが、若干の遊びがあってもよい。
【００４９】
また、図５（ｂ）中左右方向には、本実施例では、コネクタ受け６のリブ３６がスコープコネクタ１４の溝２５に遊びなく嵌合するようになっているが、若干の遊びがあってもよい。
【００５０】
また、第１および第２のガイド片３２、３３の先端部（図５（ａ）中左側の端部）の対向面には、それぞれ、図５に示すテーパ面３４が形成されている。すなわち、第１および第２のガイド片３２、３３の先端部（図５（ａ）中左側の端部）における第１のガイド片３２と第２のガイド片３３の間隔は、図５（ａ）中左側に向かって漸増している。
【００５１】
このテーパ面３４により、初段信号処理回路基板３を光源装置本体１０に装着する際のスコープコネクタ１４の空間６ａへの挿入、すなわち、リブ３６の溝２５への挿入を円滑かつ確実に行うことができる。
【００５２】
また、コネクタ受け６には、当該コネクタ受け６を光源装置本体１０にネジ止めするための４つのネジ孔３１が設けられている。すなわち、コネクタ受け６は、図２に示すようにこれらのネジ孔３１を介してネジ３５により光源装置本体１０の内側に強固にネジ止め（固定）される。
【００５３】
図２に示すように、内視鏡２は、接続部４０と、可撓性（柔軟性）を有する長尺物の図示しない内視鏡本体と、前記接続部４０と内視鏡本体とを接続する接続ケーブル（ユニバーサルケーブル）４３とを備えている。
【００５４】
接続部４０には、前記光源装置１との電気的接続を図るためのスコープコネクタ（内視鏡側スコープコネクタ）４１と、光源装置１との光学的接続を図るためのライトコネクタ４２とが設けられている。
【００５５】
図７に示すように、前記スコープコネクタ４１は、前記接続ケーブル４３等を介して、ＣＣＤイメージセンサ（撮像素子）６８や、撮像素子用ドライバ６９等の内視鏡２の所定の回路に電気的に接続されている。
【００５６】
図２および図７に示すように、前記ライトコネクタ４２は、その内部に、内視鏡２のライトガイド（ＬＣＢ：ライトケーブルバンドル）８の一方の端部を有している。このライトガイド８は、例えば、複数本の光ファイバーを束ねて形成されている。
【００５７】
図７に示すように、前記内視鏡本体の先端部には、照明系レンズ６６、撮像レンズ（対物レンズ）６７およびＣＣＤイメージセンサ（撮像素子）６８が設置されている。また、内視鏡本体の先端部には、前記ライトガイド８の他方の端部が位置している。
【００５８】
次に、電子内視鏡装置１００における初段信号処理回路基板３の着脱の際の作用（装着手順等）と、内視鏡２の着脱の際の作用（装着手順等）とをそれぞれ説明する。
【００５９】
この電子内視鏡装置１００において、光源装置１に内視鏡２を装着（接続）する場合、それに先立ち、装着する内視鏡２に応じた初段信号処理回路基板３を選択する。
【００６０】
そして、図１に示すように、光源装置本体１０の初段信号処理回路交換用扉５２を開き、選択した初段信号処理回路基板３をカードエッジ１３側から光源装置本体１０内に挿入し、装着（接続）する。
【００６１】
光源装置本体１０に初段信号処理回路基板３を装着する場合、図２に示すように初段信号処理回路基板３の上端部３ａおよび下端部３ｂを基板レールガイド４に係合させ、初段信号処理回路基板３を光源装置本体１０側に押し込む。
【００６２】
これにより、初段信号処理回路基板３は、基板レールガイド４に沿って図１中矢印の方向（図１中右側）に移動する。そして、図６に示すように、途中で、初段信号処理回路基板３のスコープコネクタ１４がコネクタ受け６の空間６ａに挿入され、この際、コネクタ受け６のリブ３６がスコープコネクタ１４の溝２５に挿入され、係合する。
【００６３】
この場合、第１および第２のガイド片３２、３３の先端部にはテーパ面３４が形成されているので、スコープコネクタ１４は、このテーパ面３４に沿って、コネクタ受け６の空間６ａに導かれる。すなわち、スコープコネクタ１４の溝２５がコネクタ受け６のリブ３６に導かれる。
【００６４】
そして、初段信号処理回路基板３は、基板レールガイド４に沿って、スコープコネクタ１４は、第１および第２のガイド片３２、３３に沿って、それぞれ、さらに図６中矢印の方向（図６中右側）に移動し、カードエッジ１３の先端部が図１０に示すコネクタ９０に当接した時点で、その移動（挿入）が一旦停止される。
【００６５】
この状態で、初段信号処理回路基板３に対してさらに挿入方向へ力を加えると、初段信号処理回路基板３のカードエッジ１３がコネクタ９０に電気的に接続されると共に、図６に示すように、スコープコネクタ１４がコネクタ受け６の当接部３７に当接し、初段信号処理回路基板３が光源装置本体１０に対して位置決めされる。すなわち、初段信号処理回路基板３が光源装置本体１０に装着される。
【００６６】
この初段信号処理回路基板３が光源装置本体１０に装着された状態では、コネクタ受け６のリブ３６が、スコープコネクタ１４の略半周に渡ってその溝２５と係合する。
【００６７】
この後、初段信号処理回路交換用扉５２を閉じる。
【００６８】
このように、初段信号処理回路基板３の装着の際は、初段信号処理回路基板３は、基板レールガイド４の他、第１および第２のガイド片３２、３３によって装着位置まで導かれるので、装着をより円滑かつ確実に行うことができる。
【００６９】
また、光源装置本体１０から初段信号処理回路基板３を取り外す場合には、初段信号処理回路交換用扉５２を開き、初段信号処理回路基板３を光源装置本体１０から引き抜き、初段信号処理回路交換用扉５２を閉じる。
【００７０】
なお、初段信号処理回路基板３を装着する際と、初段信号処理回路基板３を取り外す際は、それぞれ、電源スイッチ（メインスイッチ）をオフする。
【００７１】
次に、このように初段信号処理回路基板３が装着された光源装置１に内視鏡２を装着（接続）する場合には、図２に示すように、その初段信号処理回路基板３に対応する内視鏡２の接続部４０を挟持し、スコープコネクタ４１を光源装置本体１０のコネクタ用孔５に挿入すると共に、ライトコネクタ４２をライトガイド用孔７に挿入して、接続部４０を図２に示す矢印Ａ方向（光源装置本体１０側）に押し込む。
【００７２】
これにより、スコープコネクタ４１およびライトコネクタ４２が、図２に示す矢印Ａ方向に移動し、スコープコネクタ４１とスコープコネクタ１４とが接続され、光源装置１と内視鏡２との電気的および機械的接続が図られる。また、ライトコネクタ４２が初段信号処理回路基板３のライトガイド用開口１５を貫通し、ライトコネクタ４２の先端部（図２中左側の端部）が光源装置本体１０内の所定の位置に位置し、これにより、光源装置本体１０内で形成された照明光をライトガイド８を介して内視鏡２の先端部まで導光可能となる。すなわち、光源装置１と内視鏡２とが光学的に接続される。
【００７３】
また、光源装置１から内視鏡２を取り外す場合には、内視鏡２の接続部４０を挟持し、その接続部４０を図２に示す矢印Ｂ方向側に引き抜く。
【００７４】
これにより、スコープコネクタ１４とスコープコネクタ４１との接続が外れ、スコープコネクタ４１がコネクタ用孔５から引き抜かれると共に、ライトコネクタ４２がライトガイド用孔７から引き抜かれる。
【００７５】
前述したように、この電子内視鏡装置１００では、図２に示すように、初段信号処理回路基板３に実装されたスコープコネクタ１４の溝２５が、光源装置本体１０に固定的に設置されたコネクタ受け６のリブ３６に係合している。このため、内視鏡２の着脱の際に、スコープコネクタ４１からスコープコネクタ１４に対して前記矢印Ａ方向または矢印Ｂ方向（内視鏡２の着脱方向）の力や衝撃が加わっても、コネクタ受け６により、スコープコネクタ１４が光源装置本体１０に対して矢印Ａ方向または矢印Ｂ方向に変位（姿勢の変更や移動等）するのが阻止され、これにより初段信号処理回路基板３が安定的に保持される（初段信号処理回路基板３の反りやたわみ等の変形を防止することができる）。
【００７６】
すなわち、スコープコネクタ１４がコネクタ受け６によって光源装置本体１０に対して直接支持されているので、内視鏡２の着脱の際に、スコープコネクタ４１からスコープコネクタ１４に加わる力や衝撃が初段信号処理回路基板３に伝わることがなく、このため、内視鏡２の着脱により初段信号処理回路基板３が変形して、初段信号処理回路基板３が破損したり、或いは初段信号処理回路基板３の回路パターンや実装部品の変形、剥離、初段信号処理回路基板３のカードエッジ１３と光源装置本体１０のコネクタ９０との接触不良等の不都合が生じるのを防止することができる。
【００７７】
特に、図６に示すように、初段信号処理回路基板３が光源装置本体１０に装着された状態では、コネクタ受け６のリブ３６が、スコープコネクタ１４の略半周に渡ってその溝２５と係合するので、より確実に、コネクタ受け６によりスコープコネクタ１４が支持され、これにより、より確実に、前記スコープコネクタ１４の内視鏡２の着脱方向への変位を阻止することができる。
【００７８】
次に、電子内視鏡装置１００の動作説明をする。
【００７９】
図７は、電子内視鏡装置１００の回路構成例を示すブロック図である。なお、図７中の初段信号処理回路交換用扉５２は、概念的に記載されているので、その位置は、図１とは一致していない。
【００８０】
同図に示すように、電子内視鏡装置１００の光源装置本体１０には、所定の入力を行うためのキーボード５０および観察部位の画像（電子画像）等の表示を行うモニター（表示手段）５１が、それぞれ電気的に接続されている。そして、この電子内視鏡装置１００は、前述したモノクロ面順次撮像方式に対応する初段信号処理回路基板３と、カラー単板撮像方式に対応する初段信号処理回路基板３とを備えており、これらの初段信号処理回路基板３を選択的に光源装置本体１０に装着することにより、モノクロ面順次撮像方式およびカラー単板撮像方式のいずれにも対応し得るようになっている。
【００８１】
図７に示すように、光源装置本体１０は、書き換え可能な不揮発性のメモリ５６１を内蔵したシステムコントロール回路（制御手段）５６を有している。
【００８２】
システムコントロール回路は、通常、マイクロコンピュータ（ＣＰＵ）で構成され、電子内視鏡装置１００全体の制御を行う。
【００８３】
また、図７および図１０に示すように、光源装置本体１０は、初段信号処理回路基板３の装着の有無を検出する基板検出器５５を有している。
【００８４】
この基板検出器５５は、一端がコネクタ９０に電気的に接続され、他端に電圧Ｖが印加されているプルアップ抵抗５５１を有し、このプルアップ抵抗５５１の一端の電位（電圧）を検出する方式の検出器である。
【００８５】
初段信号処理回路基板３が光源装置本体１０に装着されていないとき（未装着時）は、基板検出器５５からシステムコントロール回路（制御手段）５６に入力される基板検出信号のレベル（電圧レベル）がハイレベル（Ｈ）になり、初段信号処理回路基板３が光源装置本体１０に装着されているとき（装着時）は、前記基板検出信号のレベルがローレベル（Ｌ）になる。システムコントロール回路５６は、前記基板検出信号に基づいて、初段信号処理回路基板３が光源装置本体１０に装着されているか否かを判別する。
【００８６】
初段信号処理回路基板３を光源装置本体１０に装着して、フロントパネルスイッチ７３の図示しない電源スイッチ（メインスイッチ）をオンすると、システムコントロール回路５６は、初段信号処理回路基板３のＲＯＭ１２に記憶されている情報のうちの必要な情報を読み出す。
【００８７】
システムコントロール回路５６は、前記ＲＯＭ１２から読み出した情報をメモリ５６１に記憶する。
【００８８】
この場合、既に、メモリ５６１に情報が記憶されているときは、前記メモリ５６１に記録されている情報と、前記ＲＯＭ１２から読み出した情報とを比較し、同じ場合には、前記メモリ５６１に記録されている情報を維持し、異なる場合には、前記メモリ５６１に記録されている情報を前記ＲＯＭ１２から読み出した情報に書き換える。
【００８９】
なお、初段信号処理回路基板３が別の基板に交換された場合には、前記メモリ５６１に記録されている情報と、前記ＲＯＭ１２から読み出した情報とが異なる。
【００９０】
まず、図７等に基づいて、カラー単板撮像方式に対応する初段信号処理回路１１を有する初段信号処理回路基板３が装着された場合の動作を説明する。
【００９１】
システムコントロール回路５６は、メモリ５６１から撮像方式に関する情報を読み出し、その情報に基づいて、装着されている初段信号処理回路基板３に対応する撮像方式等を把握する。
【００９２】
この場合、カラー単板撮像方式に対応する初段信号処理回路基板３が装着されているので、システムコントロール回路５６は、撮像方式を「カラー単板撮像方式」と把握し、カラー単板撮像方式用の設定を行う。
【００９３】
前記設定の一つとして、システムコントロール回路５６は、フィルタ移動機構７２を駆動制御して、モータ６２およびＲＧＢ回転フィルタ６３を、絞り６０からライトガイド８の一端に集光される光（光束）の光路から離間した所定の位置へ退避させる。
【００９４】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【００９５】
光源５７としては、例えば、ハロゲンランプ等を用いることができる。
【００９６】
光源５７から出射した光は、集光レンズ６４で集光され、絞り６０を介してライトコネクタ４２のライトガイド８の一端に照射される。
【００９７】
このライトガイド８の一端に照射された光は、ライトガイド８によりその他端に導かれ、その他端から照明系レンズ６６を介して被検体の所定の部位に照射される。
【００９８】
この場合、前記ライトガイド８の他端から出射した光は、照明系レンズ６６により、所定の照射範囲に照射されるように調整され、これにより撮像範囲（観察部位）を含む領域に照射される。
【００９９】
前記照射光により照射された撮像範囲からの反射光は、撮像レンズ６７により、所定のカラーフィルタを備えたＣＣＤイメージセンサ６８の受光面に結像するように導かれ、この撮像範囲の像（被写体像）は、そのＣＣＤイメージセンサ６８により撮像される。
【０１００】
ＣＣＤイメージセンサ６８は、タイミングコントロール回路６５からの撮像素子駆動信号に基づいて駆動する撮像素子用ドライバ回路６９により駆動制御され、所定のタイミングで撮像して、輝度信号（Ｙ）および２つの色差信号（Ｒ−Ｙ、Ｂ−Ｙ）をそれぞれ生成する。
【０１０１】
ＣＣＤイメージセンサ６８からの輝度信号（Ｙ）および各色差信号（Ｒ−Ｙ、Ｂ−Ｙ）は、それぞれ、信号線（ＣＣＤケーブル）、スコープコネクタ４１および１４を介して初段信号処理回路１１に入力される。
【０１０２】
カラー単板撮像方式に対応する初段信号処理回路１１は、図８に示す構成となっており、ＣＣＤイメージセンサ６８からの輝度信号（Ｙ）、色差信号（Ｒ−Ｙ）および色差信号（Ｂ−Ｙ）は、それぞれ、各信号用のプリアンプ７５ａ、７５ｂおよび７５ｃにより所定の利得で増幅され、各信号用のビデオフィルタ７６ａ、７６ｂおよび７６ｃによりフィルタリング処理され、マトリクス回路７７に入力される。
【０１０３】
マトリクス回路７７は、コンポジット映像信号として供給される各信号を、Ｒ（赤）、Ｇ（緑）、Ｂ（青）のコンポーネント映像信号に変換して出力する。
【０１０４】
マトリクス回路７７からのＲ信号、Ｇ信号およびＢ信号は、それぞれ、各信号用のアンプ７８Ｒ、７８Ｇおよび７８Ｂにより所定の利得で増幅され、各信号用のガンマ補正回路７９Ｒ、７９Ｇおよび７９Ｂにより補正され、Ａ／Ｄ変換器８０に入力される。
【０１０５】
Ａ／Ｄ変換器８０は、アナログの信号形態で供給されたＲ信号、Ｇ信号およびＢ信号を、それぞれ、デジタルの信号形態に変換し、これらをそれぞれ図７に示すタイミングコントロール回路６５に出力する。
【０１０６】
タイミングコントロール回路６５は、Ｒ信号、Ｇ信号およびＢ信号を、それぞれ、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１０７】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１０８】
モニター５１には、ＣＣＤイメージセンサ６８で撮像されたカラーの画像（電子画像）、すなわち、カラーの動画の内視鏡画像が表示される。
【０１０９】
なお、後段映像信号処理回路７１は、色バランス（主にＲとＢ）を調整する機能を有する。この色バランスは、フロントパネルスイッチ７３の色バランス調整スイッチを操作して、所望の値に設定することができる。
【０１１０】
また、後段映像信号処理回路７１は、所定の情報をモニター５１に表示する機能を有しており、モニター５１には、必要に応じて所定の情報（例えば、初段信号処理回路基板３のＲＯＭ１２に記憶されている情報、キーボード５０から入力したキャラクタ、警告等）が表示される。
【０１１１】
また、画像メモリ７０に書き込まれている同一画像のＲ信号、Ｇ信号およびＢ信号を、それぞれ、繰り返し読み出して後段映像信号処理回路７１に出力することにより、モニター５１に表示される内視鏡画像を静止画にすることも可能である。
【０１１２】
次に、図７等に基づいて、モノクロ面順次撮像方式に対応する初段信号処理回路１１を有する初段信号処理回路基板３が装着された場合の動作を説明する。
【０１１３】
システムコントロール回路５６は、メモリ５６１から撮像方式に関する情報を読み出し、その情報に基づいて、装着されている初段信号処理回路基板３に対応する撮像方式等を把握する。
【０１１４】
この場合、モノクロ面順次撮像方式に対応する初段信号処理回路基板３が装着されているので、システムコントロール回路５６は、撮像方式を「モノクロ面順次撮像方式」と把握し、モノクロ面順次撮像方式用の設定を行う。
【０１１５】
前記設定の一つとして、システムコントロール回路５６は、フィルタ移動機構７２を駆動制御して、モータ６２およびＲＧＢ回転フィルタ６３を図７に示す位置、すなわち、絞り６０からライトガイド８の一端に集光される光（光束）の光路上にＲＧＢ回転フィルタ６３が位置する位置に移動させる。
【０１１６】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【０１１７】
光源５７から出射した光は、集光レンズ６４で集光され、絞り６０およびＲＧＢ回転フィルタ６３を介してライトコネクタ４２のライトガイド８の一端に照射される。
【０１１８】
一方、タイミングコントロール回路６５からモータ制御回路６１に所定の周波数のタイミングパルスが入力される。モータ制御回路６１は、このタイミングパルスのタイミングで、回転軸にＲＧＢ回転フィルタ６３が設置されているモータ６２を回転駆動する。例えば、タイミングパルスの周波数が３０Ｈｚの場合には、モータ制御回路６１は、モータ６２、すなわちＲＧＢ回転フィルタ６３を、１秒間に３０回転させる。
【０１１９】
また、ＲＧＢ回転フィルタ６３の全フィルタ領域は、その中心から放射状に伸びる３本の直線により、扇状の３つの領域を形成するように３等分割されている。前記各フィルタ領域には、それぞれ、赤色の光のみを透過させるＲ（赤）用色フィルタ、緑色の光のみを透過させるＧ（緑）用色フィルタ、青色の光のみを透過させるＢ（青）用色フィルタが設けられている。
【０１２０】
従って、モータ６２が前記タイミングパルスに基づいて回転駆動されることにより、ＲＧＢ回転フィルタ６３によって、絞り６０からの白色光が、前記タイミングパルスの周波数で、順次、赤色光、緑色光および青色光に変換され、ライトガイド８の一端に照射される。例えば、タイミングパルスの周波数が３０Ｈｚの場合には、１秒間に、赤色光、緑色光および青色光が、それぞれ、ライトガイド８の一端に３０回照射される。
【０１２１】
このライトガイド８の一端に照射された光は、ライトガイド８によりその他端に導かれ、その他端から照明系レンズ６６を介して被検体の所定の部位に照射される。
【０１２２】
この場合、前記ライトガイド８の他端から出射した光は、照明系レンズ６６により、所定の照射範囲に照射されるように調整され、これにより撮像範囲（観察部位）を含む領域に照射される。
【０１２３】
前記照射光により照射された撮像範囲からの反射光は、撮像レンズ６７により、カラーフィルタを備えていないＣＣＤイメージセンサ６８の受光面に結像するように導かれ、この撮像範囲の像（被写体像）は、そのＣＣＤイメージセンサ６８により撮像される。
【０１２４】
ＣＣＤイメージセンサ６８は、タイミングコントロール回路６５からの撮像素子駆動信号に基づいて駆動する撮像素子用ドライバ回路６９により駆動制御され、所定のタイミングで撮像して、モノクロ映像信号を生成する。
【０１２５】
この撮像は、赤色光、緑色光および青色光が照射されているときに、各々行われ、赤色光に対応するモノクロ映像信号（Ｒ信号）、緑色光に対応するモノクロ映像信号（Ｇ信号）および青色光に対応するモノクロ映像信号（Ｂ信号）が順次生成される。例えば、タイミングパルスの周波数が３０Ｈｚの場合には、１秒間に、９０回撮像が行われる。
【０１２６】
ＣＣＤイメージセンサ６８からのモノクロ映像信号は、信号線（ＣＣＤケーブル）、スコープコネクタ４１および１４を介して初段信号処理回路１１に入力される。
【０１２７】
モノクロ面順次撮像方式に対応する初段信号処理回路１１は、図９に示す構成となっており、ＣＣＤイメージセンサ６８からのモノクロ映像信号は、プリアンプ８１により所定の利得で増幅され、ビデオフィルタ８２によりフィルタリング処理され、サンプルホールド回路（Ｓ／Ｈ回路）８３に入力される。
【０１２８】
サンプルホールド回路８３は、いわゆる相関二重サンプリング法に基づいてモノクロ映像信号をサンプリング処理することにより、そのモノクロ映像信号からノイズ成分を除去して出力する。
【０１２９】
サンプルホールド回路８３からのモノクロ映像信号は、アンプ８４により所定の利得で増幅され、ガンマ補正回路８５により補正され、Ａ／Ｄ変換器８６に入力される。
【０１３０】
Ａ／Ｄ変換器８６は、アナログの信号形態で供給されたモノクロ映像信号をデジタルの信号形態に変換し、これを図７に示すタイミングコントロール回路６５に出力する。
【０１３１】
タイミングコントロール回路６５は、赤色光に対応するモノクロ映像信号（Ｒ信号）、緑色光に対応するモノクロ映像信号（Ｇ信号）および青色光に対応するモノクロ映像信号（Ｂ信号）を、順次、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１３２】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１３３】
モニター５１には、ＣＣＤイメージセンサ６８で撮像されたカラーの画像（電子画像）、すなわち、カラーの動画の内視鏡画像が表示される。
【０１３４】
なお、前記カラー単板撮像方式に対応する初段信号処理回路基板３が装着された場合と同様に、モニター５１に表示される内視鏡画像を静止画にすることも可能であり、また、モニター５１には、必要に応じて所定の情報が表示される。
【０１３５】
以上説明したように、この光源装置１によれば、初段信号処理回路基板３を交換することができるので、単一の光源装置本体１０で（光源装置全体を交換することなく）、カラー単板撮像方式およびモノクロ面順次撮像方式の両方に対応することができる。
【０１３６】
また、将来、規格、仕様、設計等の変更があった場合、例えば、ＣＣＤイメージセンサ６８の画素数が変更された場合や、信号処理方式が変更された場合（例えば、モノクロ面順次撮像方式に対応する初段信号処理回路１１のサンプルホールド回路８３が光源装置１側から内視鏡２側に移動した場合）でも、光源装置本体１０を変更せずに、初段信号処理回路基板３のみを変更することにより、それらに対応することができる。
【０１３７】
すなわち、単一の光源装置本体１０で、例えば、内視鏡２の接続ケーブル４３の長さの異なるもの、ＣＣＤイメージセンサ６８の種類や画素数が異なるもの、撮像方式が異なるもの（例えば、モノクロ面順次撮像方式、カラー単板撮像方式）、信号処理方式が異なるもの等、種々の内視鏡２に対応することができる。
【０１３８】
そして、初段信号処理回路基板３を光源装置本体１０に装着すると、スコープコネクタ１４の溝２５がコネクタ受け６のリブ３６に係合し、これにより、スコープコネクタ１４がコネクタ受け６によって光源装置本体１０に対して直接支持される。
【０１３９】
このため、内視鏡２を着脱しても、スコープコネクタ１４が光源装置本体１０に対して、内視鏡２の着脱方向、すなわち図２中の矢印Ａ方向または矢印Ｂ方向に変位（姿勢の変更や移動等）することがないか、または、前記スコープコネクタ１４の変位を実質的に影響がない程度に抑制することができ、これにより初段信号処理回路基板３が安定的に保持される。
【０１４０】
すなわち、信頼性、耐久性を低下させることなく、初段信号処理回路基板３が交換可能（着脱可能）な光源装置を実現することができる。
【０１４１】
以上、本発明の光源装置を図示の実施の形態に基づいて説明したが、本発明はこれに限定されるものではなく、各部の構成は、同様の機能を有する任意の構成のものに置換することができる。
【０１４２】
本発明では、前記実施の形態のような医療用の内視鏡装置に限らずこの他、例えば、工業用の内視鏡装置等にも適用することができる。
【０１４３】
また、本発明では、光源装置本体に装着される初段信号処理回路基板は、前記実施の形態のような撮像方式（カラー単板撮像方式やモノクロ面順次撮像方式）に対応する初段信号処理回路基板には限られない。
【０１４４】
また、前記実施の形態では、光源装置１に装着される内視鏡２が電子内視鏡（ビデオスコープ）であるが、本発明では、光源装置１に装着される内視鏡２がファイバー内視鏡（ファイバースコープ）であってもよく、また、光源装置１に電子内視鏡とファイバー内視鏡とをそれぞれ装着し得るように構成されていてもよい。
【０１４５】
また、前記実施の形態では、スコープコネクタ１４に溝２５が形成され、コネクタ受け６にリブ３６が形成されているが、本発明では、例えば、コネクタ受け（係合部材）６に溝が形成され、スコープコネクタ１４に前記溝に係合するリブ（凸条）が形成されていてもよい。
【０１４６】
また、本発明では、例えば、コネクタ受け（係合部材）６に溝が形成され、スコープコネクタ１４に前記溝に係合するリブ（凸条）が形成され、さらに、スコープコネクタ１４に溝が形成され、コネクタ受け（係合部材）６に前記溝に係合するリブ（凸条）が形成されていてもよい。
【０１４７】
また、前記実施の形態では、溝２５およびリブ３６の数は、それぞれ単数であるが、本発明では、溝２５およびリブ３６の数は、それぞれ複数であってもよい。すなわち、複数の溝と、これらに係合する複数のリブとを設けてもよい。
【０１４８】
また、本発明では、溝は、凹部でもよく、リブは、凸部でもよい。すなわち、スコープコネクタ１４と、コネクタ受け（係合部材）６とに、互いに係合する凹凸（凹部と凸部）を設けてもよい。
【０１４９】
また、前記実施の形態では、スコープコネクタ１４の形状は、円柱状であるが、本発明では、スコープコネクタ１４の形状は、これに限らず、例えば、四角柱等の角柱状であってもよい。
【０１５０】
【発明の効果】
以上説明したように、本発明の光源装置によれば、接続ユニットを交換することができるので、光源装置全体を交換することなく、様々な内視鏡に対応することができる。すなわち、単一の光源装置本体で、例えば、内視鏡の接続ケーブル（ユニバーサルケーブル）の長さの異なるもの、撮像素子（ＣＣＤイメージセンサ）の種類や画素数が異なるもの、撮像方式が異なるもの（例えば、モノクロ面順次撮像方式、カラー単板撮像方式）、信号処理方式が異なるもの等、種々の内視鏡に対応することができる。この場合、現存の内視鏡はもちろんのこと、将来、規格、仕様、設計等の変更があったときでも、それに容易に対応することができる。
【０１５１】
そして、接続ユニットに設けられたコネクタが光源装置本体に対して内視鏡の着脱方向に変位するのを阻止する変位阻止手段を有するので、内視鏡を光源装置本体に対して着脱する際に、接続ユニットの回路パターンや実装部品の変形、剥離等の不都合が生じるのを防止することができる。
【図面の簡単な説明】
【図１】本発明の光源装置の実施形態を示す斜視図である。
【図２】本発明の光源装置の実施形態の主要部（光源装置に内視鏡が装着された状態）を示す断面図である。
【図３】本発明における初段信号処理回路基板の構成例を示す斜視図である。
【図４】モノクロ面順次撮像方式に対応する初段信号処理回路基板およびカラー単板撮像方式に対応する初段信号処理回路基板の構成例を示す側面図である。
【図５】本発明におけるコネクタ受けの構成例を示す側面図、正面図および背面図である。
【図６】本発明における初段信号処理回路基板に設けられたスコープコネクタと、光源装置本体に設けられたコネクタ受けとが係合した状態を示す図である。
【図７】本発明における内視鏡装置の回路構成例を示すブロック図である。
【図８】本発明におけるカラー単板撮像方式に対応する初段信号処理回路の構成例を示すブロック図である。
【図９】本発明におけるモノクロ面順次撮像方式に対応する初段信号処理回路の構成例を示すブロック図である。
【図１０】本発明における光源装置本体に設けられたコネクタと、初段信号処理回路基板と、基板検出器とを示す図である。
【符号の説明】
１          光源装置
１ａ        フロントパネル
１０        光源装置本体
２          内視鏡
３          初段信号処理回路基板
３ａ        上端部
３ｂ        下端部
４          基板レールガイド
５          コネクタ用孔
６          コネクタ受け
６ａ        空間
７          ライトガイド用孔
８          ライトガイド
１１        初段信号処理回路
１２        ＲＯＭ
１３        カードエッジ
１４        スコープコネクタ
１５        ライトガイド用開口
２０        映像信号用同軸コネクタ
２１        コネクタピン
２２        映像信号用同軸コネクタ
２５        溝
３０        コネクタ挿入部
３１        ネジ孔
３２        第１のガイド片
３３        第２のガイド片
３４        テーパ面
３５        ネジ
３６        リブ
３７        当接部
４０        接続部
４１        スコープコネクタ
４２        ライトコネクタ
４３        接続ケーブル
５０        キーボード
５１        モニター
５２        初段信号処理回路交換用扉
５５        基板検出器
５５１      プルアップ抵抗
５６        システムコントロール回路
５６１      メモリ
５７        光源
５８        モータ制御回路
５９        モータ
６０        絞り
６１        モータ制御回路
６２        モータ
６３        ＲＧＢ回転フィルタ
６４        集光レンズ
６５        タイミングコントロール回路
６６        照明系レンズ
６７        撮像レンズ
６８        ＣＣＤイメージセンサ
６９        撮像素子用ドライバ回路
７０        画像メモリ
７２        フィルタ移動機構
７１        後段映像信号処理回路
７３        フロントパネルスイッチ
７５ａ、７５ｂ、７５ｃ  プリアンプ
７６ａ、７６ｂ、７６ｃ  ビデオフィルタ
７７        マトリクス回路
７８Ｒ、７８Ｇ、７８Ｂ  アンプ
７９Ｒ、７９Ｇ、７９Ｂ  ガンマ補正回路
８０        Ａ／Ｄ変換器
８１        プリアンプ
８２        ビデオフィルタ
８３        サンプルホールド回路
８４        アンプ
８５        ガンマ補正回路
８６        Ａ／Ｄ変換器
９０        コネクタ
１００      電子内視鏡装置
【図１】
0003771736.tif 000002
【図２】
0003771736.tif 000003
【図３】
0003771736.tif 000004
【図４】
0003771736.tif 000005
【図５】
0003771736.tif 000006
【図６】
0003771736.tif 000007
【図７】
0003771736.tif 000008
【図８】
0003771736.tif 000009
【図９】
0003771736.tif 000010
【図１０】
0003771736.tif 000011